(57)【要約】【課題】本発明は、レゾルバを部材に対して、簡単な構成で部材をシール状態として取付けることである。【解決手段】本発明によるレゾルバステータは、輪状ステータ(10a)に設けられた端子ピン保持部(23)に膨出部(108)を設け、この膨出部(108)の外周にＯリングを設けた状態で部材(107)の取付孔(105)に取付けることにより、輪状ステータ(10a)が位置する外側(109)と、コネクタ(20a)が位置する端子ピン保持部側(104)と、がシール状となり、係合部(31)と1本のみの位置決め用樹脂ノックピン(150)によってレゾルバステータを簡単に固定できる構成である。【選択図】図１
2019110658.tif 000002
【特許請求の範囲】
【請求項１】
所定角度間隔毎に内方に向けて突出する突出磁極(50)を有する輪状ステータ(10a)と、前記各突出磁極(50)に対し、輪状絶縁カバー(62)を介して巻回されたステータ巻線(59)と、前記輪状絶縁カバー(62)の外周の一部にその外方に突出して形成された端子ピン保持部(23)と、前記端子ピン保持部(23)の端部に形成され端子ピン(101)を有する端子ピンカバー部(300)と、前記端子ピンカバー部(300)の外面に形成された係合部(31)と、前記輪状絶縁カバー(62)の前記端子ピン保持部(23)の対向位置に形成された第３突出部(61b)と、前記第３突出部(61b)にインサート成形によって設けられた筒状カラー(60G)と、前記筒状カラー(60G)の近傍位置に設けられた位置決め用樹脂ノックピン(150)と、を備え、
前記輪状絶縁カバー(62)には１個のみの前記位置決め用樹脂ノックピン(150)が設けられていることを特徴とするレゾルバステータ。
【請求項２】
前記端子ピン保持部(23)には、前記係合部(31)が形成されていることを特徴とする請求項１記載のレゾルバステータ。
【請求項３】
前記係合部(31)は、ツメ型をなすことを特徴とする請求項２記載のレゾルバステータ。
【請求項４】
前記端子ピン保持部(23)の近傍位置に形成さされた膨出部(108)の外周には、Ｏリング(106)が設けられ、前記膨出部(108)は前記端子ピン保持部(23)と前記輪状ステータ(10a)との間に位置しているように構成されていることを特徴とする請求項１ないし３の何れか１項に記載のレゾルバステータ。
【請求項５】
前記膨出部(108)を、部材(107)の取付孔(105)に挿入保持した時、前記Ｏリング(106)によって、前記端子ピン保持部(23)が位置する端子ピン保持部側(104)は、前記部材(107)の外側に対してシール状態が形成される構成としたことを特徴とする請求項４記載のレゾルバステータ。
【発明の詳細な説明】
【技術分野】
【０００１】
本発明は、レゾルバステータに関し、特に、輪状ステータの一端に設けた端子ピン保持部に係合部を形成し、前記一端と対向する他端に１本のみの位置決め用樹脂ピン（樹脂ノックピン）を形成し、樹脂ノックピンの数を従来よりも少なくて済むようにするための新規な改良に関する。
【背景技術】
【０００２】
従来、用いられていたこの種のレゾルバステータとしては、例えば、特許文献１の図３及び図４に示された構成を図４及び図５として示している。
すなわち、図４に示された従来構成は、一対の第１、第２レゾルバステータ１０ａ,１０ｂを分解斜視図として示している。
すなわち、所定角度間隔毎に内方へ向けて突出する複数の突出磁極５０を有する第１レゾルバステータ１０ａに接合されている第１コネクタ２０ａと、所定角度間隔毎に内方へ向けて突出する複数の突出磁極５０を有する第２レゾルバステータ１０ｂに接合されている第２コネクタ２０ｂとは、互いに第１、第２端子ハウジング部２３ａ，２３ｂに突縁部２４ａ，２４ｂを備えている。さらに、前記各端子ハウジング部２３ａ，２３ｂの外面には、図５に示される一体化後の二重型レゾルバステータ３０を、図示しない他部材に取り付けるための係合部３１が形成されている。第１レゾルバステータ１０ａと第２レゾルバステータ１０ｂとが軸方向８に連結された後、突縁部２４ａ，２４ｂを超音波溶着によって溶着し、その後、図示しないステータハウジングに収容する。そしてその後、第１、第２コネクタ２０ａ，２０ｂに外部側コネクタ（図示せず）を接続する際に、図４で示される突縁部２４ａ，２４ｂを位置決めに利用する。
【先行技術文献】
【特許文献】
【０００３】
【特許文献１】特開２０１７−３６９２６号
【特許文献２】特開２０１３−１７６２６５号
【特許文献３】特開２０１６−３９６９１号
【発明の概要】
【発明が解決しようとする課題】
【０００４】
前述のレゾルバステータは、以上のように構成されていたため、次のような課題が存在していた。
すなわち、前述のレゾルバを装置等の他部材（図示せず）に取付ける場合、一対のレゾルバステータに各々設けたコネクタを有する各端子ハウジング部を一体状に合わせ、各端子ハウジング部２３ａ,２３ｂとを突縁部２４ａ，２４ｂを互いに一体状に突状化し、位置決めピンの代りとするため、構造が極めて大型化かつ複雑化していた。
【０００５】
また、図示していないが、特許文献２及び３に示される「レゾルバステータの固定構造」においては、レゾルバの輪状ステータに穴を形成し、レゾルバを取付ける他部材のノックピンを設けなければならず、構造上、大型化し、レゾルバと他部材との接続構造を小型化することは極めて困難であった。
【０００６】
本発明は、以上のような課題を解決するためになされたもので、特に、輪状ステータの一端に設けた端子ピン保持部に係合部を形成し、前記一端と対向する他端に１本のみの位置決め用樹脂ピン（樹脂ノックピン）を形成し、樹脂ノックピンの数を最小とするようにしたレゾルバステータを提供することを目的とする。
【課題を解決するための手段】
【０００７】
本発明によるレゾルバステータは、所定角度間隔毎に内方に向けて突出する突出磁極を有する輪状ステータと、前記各突出磁極に対し、輪状絶縁カバーを介して巻回されたステータ巻線と、前記輪状絶縁カバーの外周の一部に、その外方に突出して形成された端子ピン保持部と、前記端子ピン保持部の端部に形成され端子ピンを有する端子ピンカバー部と、前記端子ピンカバー部の外面に形成された係合部と、前記輪状絶縁カバーの前記端子ピン保持部の対向位置に形成された第３突出部と、前記第３突出部にインサート成形によって設けられた筒状カラーと、前記筒状カラーの近傍位置に設けられた位置決め用樹脂ノックピンと、を備え、前記輪状絶縁カバーには１個のみの前記位置決め用樹脂ノックピンが設けられている構成であり、また、前記端子ピン保持部には、前記係合部が形成されている構成であり、また、前記係合部は、ツメ型をなす構成であり、また、前記端子ピン保持部の近傍位置に形成さされた膨出部の外周には、Ｏリングが設けられ、前記膨出部は前記端子ピン保持部と前記輪状ステータとの間に位置しているようにした構成であり、また、前記膨出部を、部材の取付孔に挿入保持した時、前記Ｏリングによって、前記端子ピン保持部が位置する端子ピン保持部側は、前記部材の外側に対してシール状態が形成される構成である。
【発明の効果】
【０００８】
本発明によるレゾルバステータは、以上のように構成されているため、次のような効果を得ることができる。
すなわち、所定角度間隔毎に内方に向けて突出する突出磁極を有する輪状ステータと、前記各突出磁極に対し、輪状絶縁カバーを介して巻回されたステータ巻線と、前記輪状絶縁カバーの外周の一部に、その外方に突出して形成された端子ピン保持部と、前記端子ピン保持部の端部に形成され端子ピンを有する端子ピンカバー部と、前記端子ピンカバー部の外面に形成された係合部と、前記輪状絶縁カバーの前記端子ピン保持部の対向位置に形成された第３突出部と、前記第３突出部にインサート成形によって設けられた筒状カラーと、前記筒状カラーの近傍位置に設けられた位置決め用樹脂ノックピンと、を備え、前記輪状絶縁カバーには１個のみの前記位置決め用樹脂ノックピンが設けられていることにより、１本のみの位置決め用樹脂ノックピンによって、部材に対するレゾルバステータの位置決めを行うことができる。
また、前記端子ピン保持部には、前記係合部が形成されていることにより、１本のみのレゾルバステータ位置決め時の固定をより確実化することができる。
また、前記係合部は、ツメ型をなすことにより、コネクタを保持する時の支えとなることができる。
また、前記端子ピン保持部の近傍位置に形成さされた膨出部の外周には、Ｏリングが設けられ、前記膨出部は前記端子ピン保持部と前記輪状ステータとの間に位置しているように構成されていることにより、この膨出部が他部材の取付孔に挿入保持することにより、Ｏリングによってコネクタ側への防水を完全とすることができる。
また、前記膨出部を、部材の取付孔に挿入保持した時、前記Ｏリングによって、前記端子ピン保持部が位置する端子ピン保持部側は、前記部材の外側に対してシール状態が形成される構成である。
【図面の簡単な説明】
【０００９】
【図１】本発明によるレゾルバステータを示す平面図である。
【図２】図１のＡ−Ａ線による断面図である。
【図３】図１の背面図である。
【図４】従来のレゾルバステータの分解斜視図である。
【図５】図４の一対のレゾルバステータを合体させ１個の冗長系構成とした斜視図である。
【発明を実施するための形態】
【００１０】
本発明によるレゾルバステータは、輪状ステータの一端に設けた端子ピン保持部に係合部を形成し、前記一端と対向する他端に１本のみの位置決め用樹脂ピン（樹脂ノックピン）を形成し、樹脂ノックピンの数を従来よりも少なくて済むようにしたレゾルバステータを提供することを目的とする。
【実施例】
【００１１】
以下、図面と共に本発明によるレゾルバステータの好適な実施の形態について説明する。
尚、従来例と同一又は同等部分には、同一符号を付して説明する。
図１において、符号１０ａで示されるものは輪状ステータであり、前記輪状ステータ１０ａには、所定角度間隔で内方へ向けて突出する複数の突出磁極５０が設けられている。
【００１２】
前記輪状ステータ１０ａの両端面１０Ａ，１０Ｂには、別体又は一体の樹脂成形によって、輪状の取付用樹脂部１００が形成され、前記取付用樹脂部１００の上面に輪状絶縁カバー６２が設けられている。
前記各突出磁極５０の外周には、前記輪状絶縁カバー６２を介してステータ巻線５９が巻回され、前記ステータ巻線５９の端線（図示せず）は、前記輪状絶縁カバー６２の一部と一体に形成された端子ピン保持部２３にインサート成形された複数の端子ピン１０１にからげて接続されている。
【００１３】
前記端子ピン保持部２３は、前記輪状絶縁カバー６２と一体に、図２で示されるように、輪状ステータ１０ａの断面（図２）で見た場合の長手方向Ｃに対して直交する方向へ延設されて形成されている。
前記端子ピン保持部２３が位置する端子ピン保持部側１０４では、輪状ステータ１０ａを部材１０７に取付けるために自動車等の前記部材１０７の取付孔１０５内に前記端子ピン保持部２３の膨出部１０８をＯリング１０６を介して挿入することにより前記輪状ステータ１０ａは、前記膨出部１０８を介して、前記部材１０７の所定位置に固定される。また、前記Ｏリングによって、前記端子ピン保持部２３が位置する端子ピン保持部側１０４は、前記部材１０７の外側（図では右側）に対してシール状態となり、前記端子ピン保持部側１０４と前記外側１０９とが互いに連通することのないように構成されている。
【００１４】
前記部材１０７に前記膨出部１０８が取付けられたことにより、前記部材１０７を中心として、図２の右側領域を外側１０９とし、左側領域を端子ピン保持部側１０４としている。
また、端子ピン保持部２３ａの側部２３ｂには、外方へ突出する形状からなるツメ状の係合部３１が下方向きで形成されている。
【００１５】
図１は、図２の背面図、すなわち、左側からみた要部の左側面図であり、図２に明確に開示されているものは、図２の説明を援用し、符号を付したのみでその説明は重複を避けるために省略すると共に、図２で説明していないことのみの説明とする。
前記輪状ステータ１０ａに１２０度毎に設けられた第１〜第３、突出部（樹脂製）６１,６１ａ，６１ｂの場合、第１突出部６１及び第２突出部６１ａは、同じ大きさをなす同じ形状よりなると共に、前記各突出部６１，６１ａの開口６１Ａ，６１Ｂには、金属製の筒状カラー６０が各々インサート成形されている。
【００１６】
前記第３突出部６１ｂは、前述の各突出部６１，６１ａのように、ほぼ円形ではなく、ほぼ台形のように突出し、前記輪状ステータ１０ａの断面を示すＡ−Ａ線上に中心Ｐを示す金属製の円筒カラー６０Ｇがインサート成形されている。
【００１７】
前記Ａ−Ａ線上に前記中心Ｐを有する前記筒状カラー６０Ｇの隣接位置には、前記中心Ｐとは右側の図上にオフセットしていると共に、前記中心Ｐよりも前記Ａ−Ａ線に沿ってわずかに上方にオフセットした位置に、位置決め用樹脂ノックピン１５０が射出成形時に同時形成されている。
【００１８】
前記各突出部６１，６１ａ及び６１ｂを一体に有する円板状の取付用樹脂部１００の前記各筒状カラー６０，６０，６０Ｇの対応部分は、波状又は内方へ向けてへこむ状態の円弧状部（波状部）２００に形成されている。
前述の図１の状態では、前記各突出磁極５０に全てステータ巻線６０が巻回されて前記コネクタ２０ａの各端子ピン１０１にからげられて溶接されている。
【００１９】
図３は、前述のように各突出磁極５０にステータ巻線を巻回後、前記各巻線５０を保護するため輪状に形成されると共に断面溝状をなす輪状巻線カバー２０１が前記各ステータ巻線５９を覆って保護するように配設されている。
【００２０】
前記輪状巻線カバー２０１の外周面２０１ａには、前記各筒状カラー６０，６０及び６０Ｇに対応するように、一対の突片３００Ｈが一体に形成されており、前記各突片３００Ｈが前記取付用樹脂部１００に、接着、溶着等の一体化手段によって前記取付用樹脂部１００と一体化される。
【００２１】
従って、輪状ステータ１０ａの一端１０ａＡ（図の上部）に設けたコネクタ２０ａ側に１個の係合部３１が設けられているため、輪状ステータ１０ａの一端（図では上側）に係合部３１が位置し、輪状ステータ１０ａの他端１０ａＢに１本のみの位置決め用樹脂ノックピン１５０が設けられているため、従来のように輪状ステータ１０ａの他端に２本のピンを設けることなく、１本のピン１５０のみと前記コネクタ２０ａの係合部３１で図示しない部材に対して二点構成のみで輪状ステータ１０ａの位置決めを確実にすることができる。
【産業上の利用可能性】
【００２２】
本発明によるレゾルバステータは、輪状ステータの外周に、コネクタと１本のみの位置決め用樹脂ノックピンとを形成することによって、確実に省スペース化を計りつつ、輪状ステータの位置決めを行うことができる。
【符号の説明】
【００２３】
１０ａ    輪状ステータ
１０ａＡ    一端
１０ａＢ    他端
１０Ａ，１０Ｂ    端面
２０ａ    コネクタ
２３    端子ピン保持部
２３ｂ    側部
３１    係合部
５０    突出磁極
５０Ｂ    筒状カラー
５９    ステータ巻線
６０    筒状カラー
６０Ｇ    筒状カラー（金属製）
６１    第１突出部
６１Ａ    開口
６１Ｂ    開口
６１ａ    第２突出部
６１ｂ第３突出部（樹脂製）
６２    輪状絶縁カバー
１００    取付用樹脂部
１０１    端子ピン
１０４    端子ピン保持部側
１０５    取付孔
１０６    Ｏリング
１０７    部材
１０８    膨出部
１０９    外側
１５０    位置決め用樹脂ノックピン
２００    波状部（円弧状部）
３００    端子ピンカバー部
３００Ｈ    突片
４００    レゾルバステータ
Ｃ    長手方向
Ｐ    中心
【図１】
2019110658.tif 000003
【図２】
2019110658.tif 000004
【図３】
2019110658.tif 000005
【図４】
2019110658.tif 000006
【図５】
2019110658.tif 000007